(57)【特許請求の範囲】
【請求項１】
原稿用紙をスキャンモジュールのスキャンエリア或いは印刷モジュールの印刷エリアヘ送るのに用いられる自動原稿給紙装置であって、
ケースと、
前記ケースに連結されて前記原稿用紙の載置に用いられる用紙トレイと、
前記ケースに設置されると共に前記用紙トレイの下方に位置され、前記スキャンエリア或いは前記印刷エリアを経由した前記原稿用紙の載置に用いられる排紙トレイと、
前記用紙トレイに設置されると共に前記用紙トレイの一端に位置され、押されることで前記用紙トレイに対向して前記用紙トレイの上表面に平行になり擺動され、前記排紙トレイに載置された前記原稿用紙を前記用紙トレイの外へ露出させる紙プッシュ板と、
両端が前記用紙トレイ及び前記紙プッシュ板にそれぞれ接触され、前記紙プッシュ板に弾力を与え、前記紙プッシュ板が押されてない場合に復位させる弾性部材と、を備えており、且つ、
前記紙プッシュ板は、
板体と、
前記板体から延伸されて形成されると共に前記板体に垂直になり、押されることで前記板体を連動させて前記用紙トレイに対向させて前記用紙トレイの前記上表面に平行になり擺動させる接触板と、
前記接触板から延伸されて形成されると共に前記板体に垂直になり、前記用紙トレイに接触させて前記板体の擺動を停止させるストッパー片と、
前記接触板から延伸されて形成され、前記用紙トレイの下縁に咬合させる固定構造と、を備えることを特徴とする自動原稿給紙装置。
【請求項２】
前記板体の上表面は前記用紙トレイの前記上表面に平行になり、前記板体の前記上表面は前記用紙トレイの前記上表面より高くなり、前記接触板が押されて前記板体を前記用紙トレイに対向させ前記用紙トレイの前記上表面に平行になり擺動されると、前記板体が前記用紙トレイの前記上表面の上方まで擺動され、前記固定構造は前記用紙トレイの前記下縁に沿って移動することを特徴とする、請求項１に記載の自動原稿給紙装置。
【請求項３】
前記板体は、前記板体から延伸されて形成されると共に前記板体に垂直になる第１連結部を有し、前記用紙トレイに連結され且つ前記弾性部材を貫通させて前記弾性部材を前記第１連結部へ固定させ、前記接触板が押されて前記板体を前記用紙トレイに対向させて擺動されると、前記弾性部材は前記接触板に押圧されて、前記板体は第１位置から前記用紙トレイの前記上表面に平行になり第２位置まで擺動され、前記ストッパー片が前記用紙トレイに接触されて前記板体の擺動を停止させ、前記接触板が押されなくなると、前記弾性部材の弾力により前記接触板が押され、前記板体を前記第２位置から前記第１位置まで擺動させて復位させることを特徴とする、請求項１に記載の自動原稿給紙装置。
【請求項４】
前記用紙トレイは、前記第１連結部に連結させて前記第１連結部とそれとを結合させる第２連結部を有することを特徴とする、請求項３に記載の自動原稿給紙装置。
【請求項５】
前記第１連結部は凸型柱であり、前記第２連結部は開孔であることを特徴とする、請求項４に記載の自動原稿給紙装置。
【請求項６】
前記第２連結部は前記用紙トレイから延伸されて形成されると共に前記用紙トレイの前記上表面に垂直になり、前記第１連結部は筒部であり、前記第２連結部は凸型柱であることを特徴とする、請求項４に記載の自動原稿給紙装置。
【請求項７】
前記第２連結部は前記用紙トレイから延伸されて形成されると共に前記用紙トレイの前記上表面に垂直になり、前記第１連結部は凸型柱であり、前記第２連結部は筒部であることを特徴とする、請求項５に記載の自動原稿給紙装置。
【請求項８】
前記用紙トレイは、
前記用紙トレイから延伸されて形成される延伸板と、
前記用紙トレイの前記端に位置されるノッチ部と、
連結板体を備え、
前記連結板体は、
前記延伸板の前記用紙トレイの前記端に近接する部分から前記ノッチ部へと延伸されて形成されると共に前記紙プッシュ板の下方に位置され、前記紙プッシュ板をそれに固定させ、前記紙プッシュ板が押されると、前記紙プッシュ板は前記ノッチ部から前記用紙トレイの方向へと前記用紙トレイの前記上表面に平行になり擺動することを特徴とする、請求項１に記載の自動原稿給紙装置。
【請求項９】
前記連結板体は、前記連結板体から延伸されて形成されると共に前記連結板体に垂直になる第２連結部を有し、前記紙プッシュ板に連結されて前記紙プッシュ板を前記用紙トレイに設置させ、前記弾性部材は前記第２連結部に覆設され、前記紙プッシュ板が押されて前記板体が前記連結板体に対向して擺動されると、前記弾性部材は前記紙プッシュ板に押圧され、前記紙プッシュ板は第１位置から前記用紙トレイの前記上表面に平行になり第２位置へと擺動され、前記紙プッシュ板が押されなくなると、前記弾性部材は前記紙プッシュ板に前記弾力を与え、前記紙プッシュ板を前記第２位置から前記第１位置へと擺動させて復位させることを特徴とする、請求項８に記載の自動原稿給紙装置。
【請求項１０】
前記紙プッシュ板は、前記第２連結部に連結されてそれと前記第２連結部とを結合させる第１連結部を有することを特徴とする、請求項９に記載の自動原稿給紙装置。
【請求項１１】
前記第１連結部は開孔であり、前記第２連結部は凸型柱であることを特徴とする、請求項１０に記載の自動原稿給紙装置。
【請求項１２】
前記第１連結部は前記紙プッシュ板から延伸されて形成されると共に前記紙プッシュ板の上表面に垂直になり、前記第１連結部は筒部であり、前記第２連結部は凸型柱であることを特徴とする、請求項１０に記載の自動原稿給紙装置。
【請求項１３】
前記第１連結部は前記紙プッシュ板から延伸されて形成されると共に前記紙プッシュ板の上表面に垂直になり、前記第１連結部は凸型柱であり、前記第２連結部は筒部であることを特徴とする、請求項１０に記載の自動原稿給紙装置。
【発明の詳細な説明】
【技術分野】
【０００１】
本発明は、自動原稿給紙装置に関し、より詳しくは、用紙トレイが排紙トレイ下方に設置される自動原稿給紙装置に関する。
【背景技術】
【０００２】
文書の保存方法は科学技術の発展につれ、従来の紙の文書によるファイル化からデジタルファイル化しての保存へと変化してゆき、一般的には文書のデジタル化にはスキャナーが用いられ、スキャナーにより紙文書の内容をスキャンしてデジタルファイル化し、ユーザーが配布や整理や保存等を行う。
【０００３】
初期のスキャナーは原稿用紙の片面のイメージしかスキャンできず、ユーザーが原稿用紙の両面のイメージをスキャンさせたい場合、手動で原稿用紙を裏返しスキャナーに原稿用紙の裏面のイメージをスキャンさせる。手動で裏返すのは手間がかかるため、自動原稿給紙装置が開発されてフラットベッドスキャナーに組み合わされ、手動で裏返す必要なく両面スキャンを完成させる。但し自動原稿給紙装置はスキャンモジュールにのみ使用されるわけではなく、プリンターの印刷モジュールにも応用されている。
【０００４】
続いて従来の自動原稿給紙装置の構造について、従来の自動原稿給紙装置が用いられるフラットベッドスキャナーの構造を例に説明する。図１は従来の自動原稿給紙装置及びフラットベッドスキャナーの構造の側視概略図である。従来の自動原稿給紙装置１は給紙モジュール１０、上蓋１１、分離パッド１２、給紙搬送路１３、用紙トレイ１４、排紙トレイ１５、複数の給紙ローラーセット１６、及び排紙ローラーセット１７を備える。用紙トレイ１４は複数の原稿用紙Ｓの載置に用いられ、排紙トレイ１５は用紙トレイ１４の下方に位置されてスキャン完了後の複数の原稿用紙Ｓを載置させる。給紙モジュール１０は上蓋１１の下方に位置され、複数の原稿用紙Ｓを用紙トレイ１４から給紙搬送路１３へ搬送させる。給紙モジュール１０は給紙ローラー１０１及び分離ローラー１０２を備え、給紙ローラー１０１は複数の原稿用紙Ｓに接触させて複数の原稿用紙Ｓを搬送させ、分離ローラー１０２は複数の原稿用紙Ｓを分離させ、複数の原稿用紙Ｓを１枚づつ給紙搬送路１３へ搬送させる。分離パッド１２は分離ローラー１０２の下方に位置され、複数の原稿用紙Ｓの内の分離パッド１２に接触される原稿用紙Ｓに摩擦力を与え、分離ローラー１０２が原稿用紙Ｓを１枚づつ給紙搬送路１３へ搬送させるのを補助させる。
【０００５】
複数の給紙ローラーセット１６は給紙搬送路１３に位置され、原稿用紙Ｓを給紙搬送路１３中で移動させるのに用いられ、排紙ローラーセット１７は排紙トレイ１５に近接する部分に設置され、原稿用紙Ｓを排紙トレイ１５へと搬送させる。フラットベッドスキャナー２は自動原稿給紙装置１の下方に設置され、フラットベッドスキャナー２はスキャンモジュール２０を備え、給紙搬送路１３はスキャンモジュール２０の上方を通過し原稿用紙Ｓがスキャンモジュール２０の上方を通過する際に前記原稿用紙Ｓをスキャンさせる。
【０００６】
次に従来の自動原稿給紙装置１の動作状況について説明する。従来の自動原稿給紙装置１が動作を開始すると、給紙モジュール１０は分離ローラー１０２の軸心を下へ擺動させて上蓋１１から離し、給紙モジュール１０の給紙ローラー１０１に用紙トレイ１４上の複数の原稿用紙Ｓに接触させて複数の原稿用紙Ｓを搬送させる。複数の原稿用紙Ｓが給紙ローラー１０１に搬送される過程で、複数の原稿用紙Ｓの一番上の原稿用紙Ｓは分離ローラー１０２に接触され、また複数の原稿用紙Ｓの一番下の原稿用紙Ｓは分離パッド１２に接触されて複数の原稿用紙Ｓを分離パッド１２の摩擦力により分離させ、一番上の原稿用紙Ｓを給紙搬送路１３へと搬送させる。
【０００７】
続いて、前記原稿用紙Ｓは複数の給紙ローラーセット１６により搬送されて給紙搬送路１３内を移動しスキャンモジュール２０の上方を通過すると、スキャンモジュール２０は前記原稿用紙Ｓをスキャンして前記原稿用紙Ｓのスキャンイメージファイルを取得する。最後に、スキャン完了後の原稿用紙Ｓは排紙ローラーセット１７により排紙トレイ１５へと搬送され、一番上の原稿用紙Ｓはスキャン完了後、他の原稿用紙Ｓも同様なスキャン過程を経る為詳述は省く。複数の原稿用紙Ｓ全てのスキャンが終わると、排紙トレイ１５から複数の原稿用紙Ｓを取り出す。
【発明の概要】
【発明が解決しようとする課題】
【０００８】
しかしながら、前述した従来の技術では、ユーザーが排紙トレイ１５から複数の原稿用紙Ｓを取り出す際、排紙トレイ１５が用紙トレイ１４の下方に位置するため邪魔になり、ユーザーが直接手を用紙トレイ１４の下方へ入れて複数の原稿用紙Ｓに触れる事が出来なかった。このため図２によると、ユーザーは先ず手で用紙トレイ１４を方向Ｃへと持ち上げて、排紙トレイ１５に位置される複数の原稿用紙Ｓが露出されるようにする。次に、ユーザーはもう片方の手で複数の原稿用紙Ｓを取り出した後用紙トレイ１４を放して復位させる。ユーザーにとっては、こうした複数の原稿用紙Ｓの取り出し方式は不便であり、そこで、本発明者は上記の欠点が改善可能と考え、鋭意検討を重ねた結果、合理的設計で排紙トレイに置かれる原稿用紙を簡単に取り出せる自動原稿給紙装置の提案に至った。
【０００９】
本発明は、このような従来の問題に鑑みてなされたものである。上記課題解決のため、本発明は、排紙トレイ上の原稿用紙を取り出せる自動原稿給紙装置を提供することを主目的とする。
【課題を解決するための手段】
【００１０】
上述した課題を解決し、目的を達成するために、本発明に係る自動原稿給紙装置は、原稿用紙をスキャンモジュールのスキャンエリア或いは印刷モジュールの印刷エリアへ送るのに用いられる自動原稿給紙装置であって、
ケ−スと、
前記ケ−スに連結されて前記原稿用紙の載置に用いられる用紙トレイと、
前記ケ−スに設置されると共に前記用紙トレイの下方に位置され、前記スキャンエリア或いは前記印刷エリアを経由した前記原稿用紙の載置に用いられる排紙トレイと、
前記用紙トレイに設置されると共に前記用紙トレイの一端に位置され、押される事で前記用紙トレイに対向して前記用紙トレイの上表面に平行になり擺動され、前記排紙トレイに載置された前記原稿用紙を前記用紙トレイの外へ露出させる紙プッシュ板と、
両端が前記用紙トレイ及び前記紙プッシュ板にそれぞれ接触され、前記紙プッシュ板に弾力を与え、前記紙プッシュ板が押されてない場合に復位させる弾性部材を備えることを特徴とする。
【００１１】
この好ましい実施形態では、前記紙プッシュ板は、
板体と、
前記板体から延伸されて形成され且つ前記板体に垂直になり、押される事で前記板体を連動させて前記用紙トレイに対向させて前記用紙トレイの前記上表面に平行になり擺動させる接触板と、
前記接触板から延伸されて形成され且つ前記板体に垂直になり、前記用紙トレイに接触させて前記板体の擺動を停止させるストッパー片と、
前記接触板から延伸されて形成され、前記用紙トレイの下縁に咬合させる固定構造を備えることを特徴とする。
【００１２】
この好ましい実施形態では、前記板体の上表面は前記用紙トレイの前記上表面に平行になり、前記板体の前記上表面は前記用紙トレイの前記上表面より高くなり、前記接触板が押されて前記板体を前記用紙トレイに対向させ前記用紙トレイの前記上表面に平行になり擺動されると、前記板体が前記用紙トレイの前記上表面の上方まで擺動され、前記固定構造は前記用紙トレイの前記下縁に沿って移動することを特徴とする。
【００１３】
この好ましい実施形態では、前記板体前記板体から延伸されて形成されると共に前記板体に垂直になる第１連結部を有し、前記用紙トレイに連結され且つ前記弾性部材を貫通させて前記弾性部材を前記第１連結部へ固定させ、前記接触板が押されて前記板体を前記用紙トレイに対向させて擺動されると、前記弾性部材は前記接触板に押圧されて、前記板体は第１位置から前記用紙トレイの前記上表面に平行になり第２位置まで擺動され、前記ストッパー片が前記用紙トレイに接触されて前記板体の擺動を停止させ、前記接触板が押されなくなると、前記弾性部材の弾力により前記接触板が押され、前記板体を前記第２位置から前記第１位置まで擺動させて復位させることを特徴とする。
【００１４】
この好ましい実施形態では、前記用紙トレイは前記第１連結部に連結させて前記第１連結部とそれとを結合させる第２連結部を有することを特徴とする。
【００１５】
この好ましい実施形態では、前記第１連結部は凸型柱であり、前記第２連結部は開孔であることを特徴とする。
【００１６】
この好ましい実施形態では、前記第２連結部は前記用紙トレイから延伸されて形成されると共に前記用紙トレイの前記上表面に垂直になり、前記第１連結部は筒部であり、前記第２連結部は凸型柱であることを特徴とする。
【００１７】
この好ましい実施形態では、前記第２連結部は前記用紙トレイから延伸されて形成されると共に前記用紙トレイの前記上表面に垂直になり、前記第１連結部は凸型柱であり、前記第２連結部は筒部であることを特徴とする。
【００１８】
この好ましい実施形態では、前記用紙トレイは、
前記用紙トレイから延伸されて形成される延伸板と、
前記用紙トレイの前記端に位置されるノッチ部と、
連結板体を備え、
前記連結板体は、
前記延伸板の前記用紙トレイの前記端に近接する部分から前記ノッチ部へと延伸されて形成され且つ前記紙プッシュ板の下方に位置され、前記紙プッシュ板をそれに固定させ、前記紙プッシュ板が押されると、前記紙プッシュ板は前記ノッチ部から前記用紙トレイの方向へと前記用紙トレイの前記上表面に平行になり擺動することを特徴とする。
【００１９】
この好ましい実施形態では、前記連結板体は前記連結板体から延伸されて形成され且つ前記連結板体に垂直になる第２連結部を有し、前記紙プッシュ板に連結されて前記紙プッシュ板を前記用紙トレイに設置させ、前記弾性部材は前記第２連結部に覆設され、前記紙プッシュ板が押されて前記板体が前記連結板体に対向して擺動されると、前記弾性部材は前記紙プッシュ板に押圧され、前記紙プッシュ板は第１位から前記用紙トレイの前記上表面に平行になり第２位置へと擺動され、前記紙プッシュ板が押されなくなると、前記弾性部材は前記紙プッシュ板に前記弾力を与え、前記紙プッシュ板を前記第２位置から前記第１位置へと擺動させて復位させることを特徴とする。
【００２０】
この好ましい実施形態では、前記紙プッシュ板は前記第２連結部に連結されてそれと前記第２連結部とを結合させる第１連結部を有することを特徴とする。
【００２１】
この好ましい実施形態では、前記第１連結部は開孔であり、前記第２連結部は凸型柱であることを特徴とする。
【００２２】
この好ましい実施形態では、前記第１連結部は前記紙プッシュ板から延伸されて形成されると共に前記紙プッシュ板の上表面に垂直になり、前記第１連結部は筒部であり、前記第２連結部は凸型柱であることを特徴とする。
【００２３】
この好ましい実施形態では、前記第１連結部は前記紙プッシュ板から延伸されて形成されると共に前記紙プッシュ板の上表面に垂直になり、前記第１連結部は凸型柱であり、前記第２連結部は筒部であることを特徴とする。
【発明の効果】
【００２４】
本発明によれば、排紙トレイ上の原稿用紙を簡単に取り出せる自動原稿給紙装置が得られる。
【図面の簡単な説明】
【００２５】
【図１】従来の自動原稿給紙装置及びフラットベッドスキャナーの構造の側視概略図である。
【図２】従来の自動原稿給紙装置の用紙トレイが持ち上げられる構造の側視概略図である。
【図３】本発明に係る自動原稿給紙装置の好ましい実施形態による構造の概略図である。
【図４】本発明に係る自動原稿給紙装置の好ましい実施形態による部分構造の分解概略図である。
【図５】本発明に係る自動原稿給紙装置の用紙トレイ及び紙プッシュ板の好ましい実施形態による他の視角からの構造の分解概略図である。
【図６】本発明に係る自動原稿給紙装置の用紙トレイ及び紙プッシュ板の好ましい実施形態による結合される状態の構造の概略図である。
【図７】本発明に係る自動原稿給紙装置の用紙トレイ及び紙プッシュ板の好ましい実施形態による結合される状態の他の視角からの構造の概略図である。
【図８】本発明に係る自動原稿給紙装置の紙プッシュ板の好ましい実施形態による押される状態の構造の概略図である。
【図９】本発明に係る自動原稿給紙装置の紙プッシュ板の好ましい実施形態による押される状態の他の視角からの構造の概略図である。
【発明を実施するための形態】
【００２６】
以下に図面を参照して本発明を実施するための形態について、詳細に説明する。なお、本発明は、以下に説明する実施形態に限定されるものではない。
［一実施形態］
まず、本発明の自動原稿給紙装置の一実施形態について説明する。本発明の一実施形態の構成を図３から図９に示す。図３は本発明に係る自動原稿給紙装置の好ましい実施形態による構造の概略図である。自動原稿給紙装置３は原稿用紙をスキャンモジュールのスキャンエリア或いは印刷モジュールの印刷エリアへと搬送させる。図３は自動原稿給紙装置３の構造であり、これに組み合わされるスキャンモジュール或いは印刷モジュールは図示しない。当然ながら、本発明に係る自動原稿給紙装置３は給紙式スキャナーのスキャンモジュール、或いは給紙式プリンターの印刷モジュールと組み合わされる。自動原稿給紙装置３はケース３１、用紙トレイ３２、排紙トレイ３３、紙プッシュ板３４、及び弾性部材３５(図４に図示する)を備え、自動原稿給紙装置３の原稿用紙の搬送に用いられる他の部材は従来の技術の物と大方同じな為更なる説明は省く。用紙トレイ３２はケース３１に連結され、原稿用紙(或いは文書)をその上に載置させる。排紙トレイ３３はケース３１に設置されると共に用紙トレイ３３の下方に位置されてスキャンエリア或いは印刷エリアを通過した原稿用紙を載置させ、紙プッシュ板３４は用紙トレイ３２に設置されると共に用紙トレイ３２の一端３２１に位置される。
【００２７】
図３によれば、用紙トレイ３２及び紙プッシュ板３４は排紙トレイ３３の上方に位置されると共に排紙トレイ３３を遮蔽させるため、排紙トレイ３３に載置される原稿用紙は容易には取り出せない。但し紙プッシュ板３４が押されて用紙トレイ３２に対向して用紙トレイ３２の上表面３２２に平行になり擺動されると、排紙トレイ３３に載置される原稿用紙は用紙トレイ３２の外に露出されて排紙トレイ３３の原稿用紙を容易に取り出せるようになる。
【００２８】
図４は本発明に係る自動原稿給紙装置の好ましい実施形態による局部構造の分解概略図である。図４は用紙トレイ３２、紙プッシュ板３４、及び弾性部材３５の構造である。用紙トレイ３２は延伸板３２３、ノッチ部３２４、及び連結板体３２５を備え、延伸板３２３は用紙トレイ３２から排紙トレイ３３の方向(即ち下方)へ延伸されて形成される。ノッチ部３２４は用紙トレイ３２の一端３２１に位置され、連結板体３２５は延伸板３２３の用紙トレイ３２の一端３２１に近接される部分からノッチ部３２４へと延伸されて形成され、連結板体３２５は紙プッシュ板３４への連結に用いられる第２連結部３２５１を有し、好ましい本実施形態では、延伸板３２３及び連結板体３２５は皆用紙トレイ３２と共に一体成型され、第２連結部３２５１は開孔である。
【００２９】
図５は本発明に係る自動原稿給紙装置の用紙トレイ及び紙プッシュ板の好ましい実施形態による他の視角からの構造の分解概略図である。紙プッシュ板３４は板体３４１、接触板３４２、ストッパー片３４３、及び固定構造３４４を備える。板体３４１は第１連結部３４１３を有し、第１連結部３４１３は板体３４１の下表面３４１２から延伸されて形成されると共に板体３４１に垂直になり、第１連結部３４１３は用紙トレイ３２の第２連結部３２５１に連結され且つ弾性部材３５を貫通させて弾性部材３５を第１連結部３４１３に固定させる。接触板３４２は板体３４１から延伸されて形成されると共に板体３４１に垂直になり、押される事で板体３４１を連動させて用紙トレイ３２に対向させて用紙トレイ３２の上表面３２２に平行にさせて擺動させ、板体３４１をノッチ部３２４から離れる方向に擺動させる。ストッパー片３４３は接触板３４２から延伸されて形成されると共に板体３４１に垂直になり、用紙トレイ３２の延伸板３２３に接触させて板体３４１の擺動を停止させ、固定構造３４４も接触板３４２から延伸されて形成され、延伸板３２３の下縁３２３１に咬合される。好ましい本実施形態では、第１連結部３４１３は凸型柱であり、第１連結部３４１３は板体３４１と共に一体成型されて、板体３４１、接触板３４２、ストッパー片３４３、及び固定構造３４４は皆紙プッシュ板３４と共に一体成型される。
【００３０】
図６は本発明に係る自動原稿給紙装置の用紙トレイ及び紙プッシュ板の好ましい実施形態による結合される状態の構造の概略図であり、図７は本発明に係る自動原稿給紙装置の用紙トレイ及び紙プッシュ板の好ましい実施形態による結合される状態の他の視角からの構造の概略図である。図６は用紙トレイ３２、紙プッシュ板３４及び弾性部材３５の間の連結関係を図示し、紙プッシュ板３４は破線で図示する。用紙トレイ３２に設置される紙プッシュ板３４は第１連結部３４１３及び固定構造３４４を備え、第１連結部３４１３は連結板体３２５の第２連結部３２５１を貫通させて第１連結部３４１３及び第２連結部３２５１に結合されて紙プッシュ板３４を用紙トレイ３２に固定させ、且つ用紙トレイ３２の上表面３２２に平行になり擺動される。このほか、固定構造３４４は延伸板３２３の下縁３２３１に咬合されて紙プッシュ板３４と用紙トレイ３２との連結関係を強化させる。紙プッシュ板３４が用紙トレイ３２に設置されると、連結板体３２５は紙プッシュ板３４の板体３４１の下方に位置され、板体３４１の上表面３４１１は用紙トレイ３２の上表面３２２に平行になり、板体３４１の上表面３４１１は用紙トレイ３２の上表面３２２よりも高くなる。図６及び図７のストッパー片３４３は用紙トレイ３２の延伸板３２３に接触しない。
【００３１】
用紙トレイ３２の、連結板体３２５は接触柱３２５２を更に備え、接触柱３２５２は連結板体３２５から延伸されて形成されると共に連結板体３２５に垂直になる。弾性部材３５は板体３４１の第１連結部３４１３に固定され、弾性部材３５の第１端３５１は紙プッシュ板３４の接触板３４２の内表面に接触され、弾性部材３５の第２端３５２は接触柱３２５２に接触され、以上の連結関係により弾性部材３５に接触板３４２へ弾力を与えさせ、紙プッシュ板３４２が押されていない場合に復位させ、押されていない紙プッシュ板３４２が第１位置Ｐ１に位置されるように維持させる。好ましい本実施形態では、接触柱３２５２は連結板体３２５と共に一体成型され、弾性部材３５はねじりばねであり、弾性部材３５の第１端３５１は接触板３４２の内表面に接触するよう設計されている。他の好ましい実施形態では、弾性部材の第１端は板体の他の凸型柱に接触するよう設計されており、前記他の凸型柱は前記板体から延伸されて形成されると共に板体に垂直になる。
【００３２】
続いて排紙トレイ３５に位置される原稿用紙の取り出し動作について説明する。図８は本発明に係る自動原稿給紙装置の紙プッシュ板の好ましい実施形態による押される状態の構造の概略図であり、図９は本発明に係る自動原稿給紙装置の紙プッシュ板の好ましい実施形態による押される状態の他の視角からの構造の概略図である。図８及び図９によれば、自動原稿給紙装置３が原稿用紙を用紙トレイ３２をケース３１を通過させて排紙トレイ３５に搬送させた後、ユーザーは排紙トレイ３５の原稿用紙を取り出すため、手を排紙トレイ３５上方に位置される紙プッシュ板３４に近づける。次に、紙プッシュ板３４の接触板３４２の外表面に手の甲が接触すると、弾性部材３５の弾力は手の押圧力よりずっと弱いため、接触板３４２が手の押圧力により押される事で弾性部材３５も押圧される。押された接触板３４２は板体３４１を連動させ用紙トレイ３２に対向させて上表面３２２に平行にさせて擺動させ、板体３４１を第１位置Ｐから用紙トレイ３２の上表面３２２の上方へと擺動させ、固定構造３４４は延伸板３２３の下縁３２３１に沿って移動させる。
【００３３】
板体３４１が第１位置Ｐ１から用紙トレイ３２の上表面３２２に平行になり第２位置Ｐ２へと擺動されると、紙プッシュ板３４のストッパー片３４３は用紙トレイ３２の延伸板３２３に接触されて板体３４１の擺動を停止させる。この際、排紙トレイ３５に位置される原稿用紙は用紙トレイ３２のノッチ部３２４により用紙トレイ３２の外に露出され、ユーザーは手を排紙トレイ３５まで移動させて原稿用紙を取り出す。
【００３４】
ユーザーの手が紙プッシュ板３２から離れると、接触板３４２への押圧力が解除されるため、弾性部材３５の弾力により接触板３４２を押して板体３４１を連動させ、板体３４１は再び用紙トレイ３２の上表面３２２に平行になり擺動されて第２位置Ｐ２から離れ、同時にストッパー片３４３も延伸板３２３から外れて接触されなくなり、固定構造３４４は延伸板３２３の下縁３２３１に沿って板体３４まで移動し第１位置Ｐ１まで擺動して停止する。これにより紙プッシュ板３４の復位が完了する。
【００３５】
ちなみに、好ましい本実施形態の第１連結部３４１３は凸型柱であり、第２連結部３２５１は開孔である。同様に好ましい二実施形態の第１連結部は開孔構造であり、第２連結部は凸型柱構造である。また、好ましい三実施形態の第１連結部も同様に凸型柱構造であり、弾性部材も第１連結部に覆設され、第２連結部は凸型柱を収納させる筒部構造である。同じように、好ましい四実施形態の第１連結部も凸型柱構造であり、第２連結部も筒部構造であり、弾性部材も第２連結部に覆設される。このほか、好ましい五実施形態の第１連結部は筒部構造であり、弾性部材は第１連結部に覆設され、第２連結部は凸型柱構造である。同じく、好ましい六実施形態の第１連結部も筒部構造であり、第２連結部も凸型柱構造であり、弾性部材は第２連結部に覆設される。
【００３６】
上述の好ましい実施形態によると、本発明に係る自動原稿給紙装置は用紙トレイに紙プッシュ板を設置させ、紙プッシュ板が押されると用紙トレイに対向して擺動され、用紙トレイのノッチ部を露出させて用紙トレイ下方に位置される排紙トレイを露出させ、ユーザーが排紙トレイに載置される原稿用紙を簡単に取り出せるようにする。ユーザーが紙プッシュ板への押圧を止めると、紙プッシュ板に接触させる弾性部材の弾力により紙プッシュ板を押して復位させる。従来の技術に比べ、本発明に係る自動原稿給紙装置の構造は排紙トレイでの手の動作を確実に簡略化させ、排紙トレイの原稿用紙を簡単に取り出せるようになる。
【００３７】
上述の実施形態は本発明の技術思想及び特徴を説明するためのものにすぎず、当前記技術分野を熟知する者に本発明の内容を理解させると共にこれをもって実施させることを目的とし、本発明の特許請求の範囲を限定するものではない。従って、本発明の精神を逸脱せずに行う各種の同様の効果をもつ改良又は変更は、後述の請求項に含まれるものとする。
【符号の説明】
【００３８】
１      自動原稿給紙装置
２      フラットベッドスキャナー
３      自動原稿給紙装置
１０    給紙モジュール
１１    上蓋
１２    分離パッド
１３    給紙搬送路
１４    用紙トレイ
１５    排紙トレイ
１６    給紙ローラーセット
１７    給紙ローラーセット
２０    スキャンモジュール
３１    ケ−ス
３２    用紙トレイ
３３    排紙トレイ
３４    紙プッシュ板
３５    弾性部材
１０１  給紙ローラー
１０２  分離ローラー
３２１  用紙トレイの一端
３２２  用紙トレイの上表面
３２３  延伸板
３２４  ノッチ部
３２５  連結板体
３４１  板体
３４２  接触板
３４３  ストッパー
３４４  固定構造
３５１  弾性部材の第１端
３５２  弾性部材の第２端
３２３１  延伸板の下縁
３２５１  第２連結部
３２５２  接触柱
３４１１  板体の上表面
３４１２  板体の下表面
３４１３  第１連結部
Ｃ        方向
Ｓ        原稿用紙
Ｐ１      第１位置
Ｐ２      第２位置
【図１】
0005462336.tif 000002
【図２】
0005462336.tif 000003
【図３】
0005462336.tif 000004
【図４】
0005462336.tif 000005
【図５】
0005462336.tif 000006
【図６】
0005462336.tif 000007
【図７】
0005462336.tif 000008
【図８】
0005462336.tif 000009
【図９】
0005462336.tif 000010